(57)【要約】【課題】入金された紙幣が内部の収納部へと搬送されている間であっても、紙幣の位置及び状態を確認することができる紙幣処理機を提供する。【解決手段】紙幣処理機１００は、紙幣Ｂを入金するための紙幣載置部５と、紙幣が収納される収納部３０と、紙幣載置部５及び収納部３０の間で紙幣Ｂの搬送を行う第一紙幣流通経路５０ａ、第二紙幣流通経路５０ｂ及び第三紙幣流通経路５０ｃと、第一紙幣流通経路５０ａに設けられ、紙幣Ｂの金種を鑑別する鑑別部２０とを備え、搬送部は、紙幣処理機１００の外側に向かって開放されるとともに、搬送部の開放される側に対して紙幣の一部分が張り出すように、紙幣を挟持する。【選択図】図１
2017068311.tif 000002
【特許請求の範囲】
【請求項１】
紙幣を入金するための入金部と、
前記紙幣が収納される収納部と、
前記入金部及び前記収納部の間で前記紙幣の搬送を行う搬送部と、
前記搬送部に設けられ、前記紙幣の金種を鑑別する鑑別部とを備える紙幣処理機であって、
前記搬送部は、前記紙幣処理機の外側に向かって開放されるとともに、前記搬送部の開放される側に対して前記紙幣の一部分が張り出すように前記紙幣を挟持する、紙幣処理機。
【請求項２】
前記鑑別部には、少なくとも１個の開口が形成され、
前記鑑別部を通過して搬送される前記紙幣の前記一部分は、前記開口を介して目視可能である請求項１に記載の紙幣処理機。
【請求項３】
前記鑑別部の前記開口は、前記搬送部が前記紙幣を搬送する搬送方向に沿って複数設けられ、
前記鑑別部の上流側端部と前記上流側端部に隣り合う前記開口との間隔、
前記開口同士の間隔、及び
前記鑑別部の下流側端部と前記下流側端部に隣り合う前記開口との間隔は、
各々、前記紙幣の前記搬送方向の長さよりも短い請求項２に記載の紙幣処理機。
【請求項４】
前記搬送部が前記紙幣を搬送する搬送方向において、前記鑑別部の長さは前記紙幣の長さよりも短い請求項１に記載の紙幣処理機。
【請求項５】
前記鑑別部は、透明な部材を備え、
前記鑑別部を通過して搬送される前記紙幣の前記一部分は、前記透明な部材を介して目視可能である請求項１に記載の紙幣処理機。
【発明の詳細な説明】
【技術分野】
【０００１】
この発明は、紙幣処理機に関する。
【背景技術】
【０００２】
従来、紙幣の金種を鑑別して、金種に応じて紙幣を分類して収納する紙幣処理機がある。例えば、特許文献１の紙幣処理機は、内部に紙幣を分類して収納することができる紙幣出納装置を有している。紙幣処理機に入金された紙幣は搬送部によって紙幣出納装置の収納部に搬送される。また、搬送部には、紙幣の金種等を識別する識別部が設けられており、識別部によって金種を識別された紙幣は、金種毎に分類されて収納部に収納される。
【先行技術文献】
【特許文献】
【０００３】
【特許文献１】特開２０１５−１０９１０２号公報
【発明の概要】
【発明が解決しようとする課題】
【０００４】
しかしながら、特許文献１の紙幣処理機では、一旦、紙幣が入金された後は、紙幣処理機の内部で紙幣がどのような状況にあるかは外から確認することができず、利用者は表示パネル等によって紙幣の取り込み状態や搬送状態を確認しなければならなかった。また、紙幣の詰まり等のエラーが発生した場合に、紙幣処理機のカバーを開けなければ、どの場所に紙幣が詰まっているのかをすぐには確認することができないという問題があった。
【０００５】
この発明は、このような問題を解決するためになされ、入金された紙幣が内部の収納部へと搬送されている間であっても、紙幣の位置及び状態を確認することができる紙幣処理機を提供することを目的とする。
【課題を解決するための手段】
【０００６】
上記の課題を解決するために、この発明に係る紙幣処理機は、紙幣を入金するための入金部と、紙幣が収納される収納部と、入金部及び収納部の間で紙幣の搬送を行う搬送部と、搬送部に設けられ、紙幣の金種を鑑別する鑑別部とを備え、搬送部は、紙幣処理機の外側に向かって開放されるとともに、搬送部の開放される側に対して紙幣の一部分が張り出すように紙幣を挟持する。
【０００７】
また、この発明に係る紙幣処理機の鑑別部には、少なくとも１個の開口が形成され、鑑別部を通過して搬送される紙幣の一部分は、開口を介して目視可能であってもよい。
【０００８】
さらに、鑑別部の開口は、搬送部が紙幣を搬送する搬送方向に沿って複数設けられており、鑑別部の上流側端部と上流側端部に隣り合う開口との間隔、開口同士の間隔、及び鑑別部の下流側端部と下流側端部に隣り合う開口との間隔は、各々、紙幣の搬送方向の長さよりも短くてよい。
【０００９】
また、搬送部が紙幣を搬送する搬送方向において、鑑別部の長さは紙幣の長さよりも短くてもよい。
【００１０】
またさらに、鑑別部は、透明な部材を備え、鑑別部を通過して搬送される紙幣の一部分は、透明な部材を介して目視可能であってもよい。
【発明の効果】
【００１１】
この発明に係る紙幣処理機によれば、入金された紙幣が内部の収納部へと搬送されている間であっても、紙幣の位置及び状態を確認することができる。
【図面の簡単な説明】
【００１２】
【図１】この発明の実施の形態１に係る紙幣処理機の斜視図である。
【図２】図１に示す紙幣処理機を別の方向から見た斜視図である。
【図３】図１に示す紙幣処理機の内部の構造を示す模式図である。
【図４】この発明の実施の形態２に係る紙幣処理機の斜視図である。
【図５】この発明の実施の形態３に係る紙幣処理機の斜視図である。
【発明を実施するための形態】
【００１３】
以下、この発明の実施の形態について添付図面に基づいて説明する。
実施の形態１．
この実施の形態に係る紙幣処理機１００の構造を図１〜３に示す。
図１〜３に示すように、紙幣処理機１００は、筐体である紙幣処理機本体１を有する。紙幣処理機本体１の上部にはモニタ２は設けられる。ここで、図１に示すように、モニタ２と対面して利用者が立つ側を手前側Ｆとする。また、図２に示すように、モニタ２と対面するように立った場合の左手側をＸ１方向とし、紙面上右側をＸ２方向とする。
【００１４】
紙幣処理機本体１のモニタ２の手前側Ｆには操作部３が設けられる。また、操作部３の手前側Ｆには、傾斜面５ａを有する紙幣載置部５が設けられる。傾斜面５ａは、Ｘ１方向側に向かって徐々に低くなるように傾斜している。
紙幣載置部５は、紙幣を紙幣処理機１００に入金するための入金部を構成する。
【００１５】
紙幣処理機本体１の紙幣載置部５の下に形成される領域であって、紙幣処理機本体１の両側壁１１と底面部１３と背面部１４とに画定される内部空間を、紙幣処理部１ａとする。紙幣処理機本体１の紙幣処理部１ａは、手前側Ｆに開放されている。また、紙幣処理部１ａは、紙幣載置部５の傾斜面５ａの下端に設けられる入金口５ｂと連通する。さらに、紙幣処理機本体１の紙幣処理部１ａには収納部３０が設けられる。収納部３０は、上から下に順次積み重なって配置される５個の紙幣収納部３０ａ〜３０ｅを有する。また、紙幣処理部１ａには、紙幣収納部３０ａ〜３０ｅのＸ１方向側、下方向側及びＸ２方向側を取り囲むように紙幣流通経路５０が設けられている。なお、図３に示すように、紙幣収納部３０ａ〜３０ｅのＸ１方向側において上下方向に延びる部分を第一紙幣流通経路５０ａとする。また、紙幣収納部３０ａ〜３０ｅの下方向側において紙幣収納部３０ｅの底面に沿って延びる部分を第二紙幣流通経路５０ｂとする。また、紙幣収納部３０ａ〜３０ｅのＸ２方向側において上下方向に延びる部分を第三紙幣流通経路５０ｃとする。紙幣載置部５の傾斜面５ａの下端には、第一紙幣流通経路５０ａの上流側が接続している。また、第一紙幣流通経路５０ａの下流側の端部は、第二紙幣流通経路５０ｂの上流側の端部と接続している。さらに、第二紙幣流通経路５０ｂの下流側の端部は、第三紙幣流通経路５０ｃの上流側の端部と接続している。
ここで、第一紙幣流通経路５０ａ、第二紙幣流通経路５０ｂ及び第三紙幣流通経路５０ｃは、紙幣処理部１ａとともに手前側Ｆに開放される。
【００１６】
図３の第一紙幣流通経路５０ａの上流側寄りの部分には、略直方体形状の鑑別部２０が設けられている。鑑別部２０には、第一紙幣流通経路５０ａの延長方向に沿って、上下方向に延びるスリット２４が形成されている。そして、スリット２４は第一紙幣流通経路５０ａの一部を構成する。そして、鑑別部２０のスリット２４により構成される第一紙幣流通経路５０ａの両側には、スリット２４の延長方向、すなわち第一紙幣流通経路５０ａの延長方向に沿ってほぼ等間隔に並列された３対の第一ローラ２２が設けられる。また、鑑別部２０のスリット２４により構成される第一紙幣流通経路５０ａには、鑑別センサ２３が設けられている。また、鑑別部２０の、スリット２４を挟んでＸ２方向側には、第一紙幣流通経路５０ａの延長方向、すなわち紙幣Ｂが搬送される搬送方向に沿って３個の開口２０ａ〜２０ｃが上から下に順次形成されている。
【００１７】
ここで、鑑別部２０の上流側端部２０ｄと、上流側端部２０ｄに隣り合う開口２０ａとの間隔をＤ１とする。また、互いに隣り合う開口２０ａと開口２０ｂとの間隔をＤ２とする。さらに、互いに隣り合う開口２０ｂと開口２０ｃとの間隔をＤ３とする。さらにまた、鑑別部２０の下流側端部２０ｅと、下流側端部２０ｅに隣り合う開口２０ｃとの間隔をＤ４とする。間隔Ｄ１〜Ｄ４の長さは、いずれも紙幣Ｂの短辺の長さよりも短い。
さらに、鑑別部２０のＸ２方向側の側面には、スリット部材２１が取り付けられており、スリット部材２１には、奥行き方向に延びる６個のスリット開口２１ａが上下方向に並んで形成されている。従って、紙幣処理機本体１をＸ２方向側から見ると、図１に示すように、スリット開口２１ａ及び開口２０ａ〜２０ｃを介して、スリット２４、すなわち鑑別部２０に形成される第一紙幣流通経路５０ａの状況を目視することができる。
【００１８】
鑑別部２０の下流側かつ第一紙幣流通経路５０ａのＸ２方向側には、第一紙幣流通経路５０ａの流通方向に並列される３個の第二ローラ５２と、第二ローラ５２に架け渡される第一ベルト５３が設けられる。また、第一紙幣流通経路５０ａのＸ１方向側には、第一ベルト５３に接触する５個の第三ローラ５１が、第一紙幣流通経路５０ａの延長方向に沿って並列して設けられている。
【００１９】
また、第二紙幣流通経路５０ｂの上方向側には、第二紙幣流通経路５０ｂの流通方向に並列される３個の第四ローラ５４と、第四ローラ５４に架け渡される第二ベルト５６が設けられる。また、第二紙幣流通経路５０ｂの下方向側には、第二ベルト５６に接触する５個の第五ローラ５５が、第二紙幣流通経路５０ｂの延長方向に沿って並列して設けられている。
【００２０】
さらに、第三紙幣流通経路５０ｃのＸ２方向側には、第三紙幣流通経路５０ｃの流通方向に並列される６個の第六ローラ５７が設けられる。また、紙幣収納部３０ａ〜３０ｅの各々には、上方向側から順次配置される５個の第六ローラ５７と各々接触する５個の第七ローラ５８が設けられている。
【００２１】
ここで、第一ローラ２２、第二ローラ５２、第三ローラ５１、第四ローラ５４、第五ローラ５５、第六ローラ５７、第七ローラ５８、第一ベルト５３及び第二ベルト５６を含む紙幣流通経路５０は、搬送部を構成する。搬送部は、紙幣載置部５、鑑別部２０及び収納部３０の間で紙幣Ｂの搬送を行う。なお、搬送される紙幣Ｂは、一対の第一ローラ２２の間、第一ベルト５３と第三ローラ５１との間、第四ローラ５４と第五ローラ５５との間、又は第六ローラ５７と第七ローラ５８との間に挟持されつつ、短辺側の端部が手前側Ｆに張り出すように構成されている。
【００２２】
次に、図１〜３を用いて、紙幣処理機１００に入金される紙幣Ｂの搬送の流れについて説明する。なお、紙幣Ｂが紙幣流通経路５０を流通する際、紙幣Ｂは短辺が紙幣流通経路５０とほぼ平行となる向きに搬送される。すなわち、紙幣Ｂが搬送部によって搬送される搬送方向の長さは、紙幣Ｂの短辺の長さである。
まず、紙幣Ｂは、紙幣載置部５の傾斜面５ａに、長辺側を下にして複数枚重ねて載置される。そして、利用者が操作部３の入金ボタンを押すと、紙幣Ｂは一枚ずつ、入金口５ｂを介して紙幣処理機本体１の内部の紙幣処理部１ａに設けられた第一紙幣流通経路５０ａに送り込まれていく。図３に示すように、第一紙幣流通経路５０ａを流通する紙幣Ｂは第一ローラ２２に挟持されつつ、スリット２４を通過して鑑別部２０の内部を流通する。この時、紙幣Ｂは鑑別部２０の鑑別センサ２３により金種を鑑別される。さらに、鑑別部２０の下流側端部２０ｅから送り出される紙幣Ｂは、第一ベルト５３と第三ローラ５１との間に挟持されるとともに、下流側へ運搬される。そして、次に、紙幣Ｂは案内部１２に案内されて、第二紙幣流通経路５０ｂに送り込まれ、第二ベルト５６と第五ローラ５５との間に挟持されて、さらに下流側に搬送される。
【００２３】
そして、紙幣Ｂは、第二紙幣流通経路５０ｂから第三紙幣流通経路５０ｃに送り込まれる。第三紙幣流通経路５０ｃにおいて、紙幣Ｂは、第六ローラ５７と第七ローラ５８との間に挟持されつつ、上方向へ搬送される。そして、鑑別部２０の鑑別センサ２３によって鑑別された金種に応じて、各々の紙幣Ｂは、紙幣収納部３０ａ〜３０ｅのいずれかに順次分類されて、送り込まれる。具体的には、図示しない案内手段により、紙幣Ｂが送り込まれるべき紙幣収納部３０ａ〜３０ｅのいずれかの第七ローラ５８の上に紙幣Ｂが案内され、紙幣収納部の内側に送り込まれる。
【００２４】
以上より、この実施の形態１に係る紙幣処理機１００では、紙幣処理部１ａに設けられた紙幣流通路５０が紙幣処理機本体１の外側の手前側Ｆに向かって開放されている。そして、紙幣Ｂは、一対の第一ローラ２２の間、第一ベルト５３と第三ローラ５１との間、第四ローラ５４と第五ローラ５５との間、又は第六ローラ５７と第七ローラ５８との間に挟持されつつ紙幣流通経路５０を搬送される。このようにして紙幣流通経路５０を流通する紙幣Ｂは、短辺側の端部が手前側Ｆに張り出す位置及び向きで搬送される。
これにより、図１に示すように、紙幣流通経路５０において、鑑別部２０が設けられている箇所を除き、紙幣Ｂは常に手前側Ｆの端部、すなわち短辺側の端部が、利用者Ｕから目視できるように搬送される。従って、紙幣処理機１００に入金された紙幣が内部の収納部３０へと搬送されている間であっても、利用者Ｕは、モニタ２の表示を確認しなくとも、紙幣Ｂの位置及び状態を知ることができる。また、エラーで紙幣処理機１００の動作が停止した場合も、モニタ２の表示を確認せずに紙幣Ｂの停止位置をすぐに知ることができる。
【００２５】
また、鑑別部２０には、紙幣Ｂの搬送方向に沿って開口２０ａ〜２０ｃが形成されるため、開口２０ａ〜２０ｃ及びスリット開口２１ａを介して、鑑別部２０の内部を流通する紙幣Ｂの短辺側の端部を目視することができる。
さらに、鑑別部２０の上流側端部２０ｄと開口２０ａとの間隔Ｄ１、開口２０ａ〜２０ｃ同士の間隔Ｄ２，Ｄ３、及び鑑別部２０の下流側端部２０ｅと開口２０ｃとの間隔Ｄ４は、各々、紙幣Ｂの短辺の長さよりも短い。そのため、紙幣Ｂが鑑別部２０を流通している間は、常に、開口２０ａ〜２０ｃのいずれかを介して、紙幣Ｂの短辺側の端部を目視することができる。
【００２６】
実施の形態２．
この発明の実施の形態２に係る紙幣処理機２００の構成を図４に示す。なお、図１〜３の参照符号と同一の符号は同一又は同様の構成要素であるので、その詳細な説明は省略する。
図４に示すように、第一紙幣流通経路５０ａの上流側寄りの部分には、第一紙幣流通経路５０ａの延長方向に沿って上下方向に延びるスリット２２４が形成されている。そして、スリット２２４の全長の中心付近には、手前側Ｆに延びる細長い略直方体形状の鑑別センサ２２０が設けられている。ここで、第一紙幣流通経路５０ａの延長方向、すなわち、紙幣Ｂが搬送される搬送方向に沿った鑑別センサ２２０の幅Ｌ１は、紙幣Ｂの短辺の長さよりも短い。
また、紙幣Ｂがスリット２２４を流通する際、スリット２２４よりも手前側Ｆには、紙幣Ｂの短辺側の端部が張り出している。さらに、紙幣Ｂはスリット２２４を流通する間に、鑑別センサ２２０を通過し、鑑別センサ２２０によって金種を鑑別される。
ここで、鑑別センサ２２０は、鑑別部を構成する。
【００２７】
以上より、この実施の形態２に係る紙幣処理機２００では、鑑別部としての鑑別センサ２２０の幅Ｌ１が、紙幣Ｂの短辺の長さよりも短い。そのため、紙幣Ｂの短辺側の端部が鑑別部に覆い隠されるおそれがなく、紙幣処理機本体１の外側から紙幣Ｂの短辺側の端部をより目視しやすい。
また、鑑別部を鑑別センサ２２０のみで構成することにより、紙幣処理機２００の構造をより簡易なものとすることができる。
【００２８】
実施の形態３．
この発明の実施の形態３に係る紙幣処理機３００の構成を図５に示す。なお、図１〜３の参照符号と同一の符号は同一又は同様の構成要素であるので、その詳細な説明は省略する。
図５に示す第一紙幣流通経路５０ａの上流側寄りの部分には、透明な部材で形成される略直方体形状の鑑別部３２０が設けられている。鑑別部３２０の外側からは、鑑別部３２０の透明な部材を介して、スリット２４を流通する紙幣Ｂの短辺側の端部を目視することができる。
【００２９】
以上より、この実施の形態３に係る紙幣処理機３００では、紙幣処理機１００及び２００と同様に、入金された紙幣Ｂが収納部３０へと搬送されている間であっても、紙幣処理機本体１の外側から紙幣Ｂの位置及び状態を目視することができる。
なお、鑑別部３２０の透明な部材は、鑑別部３２０の内側の紙幣Ｂが目視可能なものであれば、半透明でもよく、着色がされていたり、模様が入っていてもよい。また、鑑別部３２０の表面は平らでなくてもよく、表面に三次元的な形状が形成されていてもよい。
【００３０】
また、実施の形態１〜３では、紙幣Ｂは短辺の延長方向を流通方向として紙幣流通経路５０を搬送されているが、これに限定されず、長辺の延長方向を流通方向として紙幣流通経路５０を搬送されてもよい。
【符号の説明】
【００３１】
５  紙幣載置部（入金部）、２０  鑑別部、２０ａ，２０ｂ，２０ｃ  開口、２０ｄ  鑑別部の上流側端部、２０ｅ  鑑別部の下流側端部、２２  第一ローラ（搬送部）、３０  収納部、５０  紙幣流通経路（搬送部）、５０ａ  第一紙幣流通経路（搬送部）、５０ｂ  第二紙幣流通経路（搬送部）、５０ｃ  第三紙幣流通経路（搬送部）、５１  第三ローラ（搬送部）、５２  第二ローラ（搬送部）、５３  第一ベルト（搬送部）、５４  第四ローラ（搬送部）、５５  第五ローラ（搬送部）、５６  第二ベルト（搬送部）、５７  第六ローラ（搬送部）、５８  第七ローラ（搬送部）、１００  紙幣処理機。
【図１】
2017068311.tif 000003
【図２】
2017068311.tif 000004
【図３】
2017068311.tif 000005
【図４】
2017068311.tif 000006
【図５】
2017068311.tif 000007